(57)【要約】  少なくとも１つのワークロール又は間に挿入されるバックアップロールのチョックを介して圧下をするために両側からワークロールに作用する少なくともそれぞれ１つのピストンを有する、ロールスタンドにおいて、特に垂直アップセットスタンドにおいてロールを迅速に圧下するための圧下シリンダにおいて、圧下シリンダが、反対方向に指向するように２つのピストンロッド（ＳＴ１，ＳＴ２）を備えている１つのピストン（ＫＯ）を備え、このピストン（ＫＯ）が、シリンダ底部（ＺＢ）もしくはシリンダカバー（ＺＤ）のそれぞれ１つの空所内に挿入されており、これら空所が、ピストンロッド（ＳＴ１，ＳＴ２）を案内するために同軸に配設された孔を備えているように、圧下シリンダを改善する。
2007533463.tif 000002
【特許請求の範囲】
【請求項１】
少なくとも１つのワークロール又は間に挿入されるロールのチョックを介して圧下をするために両側からワークロールに作用する少なくともそれぞれ１つのピストンを有する、ロールスタンドにおいて、特に垂直アプセットスタンドにおいて迅速に長いストローク運動を行なうための圧下シリンダにおいて、
各圧下シリンダが、反対方向に指向するように２つのピストンロッド（ＳＴ１，ＳＴ２）を備えている１つのピストン（ＫＯ）を備えること、このピストン（ＫＯ）が、シリンダ底部（ＺＢ）もしくはシリンダカバー（ＺＤ）のそれぞれ１つの空所内に挿入されており、これら空所が、ピストンロッド（ＳＴ１，ＳＴ２）を案内するために同軸に配設された孔を備えていることを特徴とする圧下シリンダ。
【請求項２】
前記の孔内に、ピストンロッド案内要素用の収容部が設けられており、これらピストンロッド案内要素が、好ましくはメタルブッシュ（ＢＵ１，ＢＵ２）又はガイドベルトとして形成され、好ましくはカバー（ＤＥ１，ＤＥ２）によって保持されていることを特徴とする請求項１に記載の圧下シリンダ。
【請求項３】
シリンダに付属するシール（Ｄｌ１，Ｄｌ２，Ｄｌ３）が、カバー（ＤＥ１）及び（ＤＥ２）並びにピストン（ＫＯ）内に存在する、もしくはシールを有するガイドベルトが、カバー（ＤＥ１）及び（ＤＥ２）内に収容されていることを特徴とする請求項１又は２に記載の圧下シリンダ。
【請求項４】
シリンダ底部（ＺＢ）が、ボルト（ＳＲ２）によってシリンダカバー（ＺＤ）と結合されていることを特徴とする請求項１〜３のいずれか１つに記載の圧下シリンダ。
【請求項５】
圧下シリンダ一式が、ボルト（ＳＲ１）によってスタンドハウジングと結合されていることを特徴とする請求項１〜４のいずれか１つに記載の圧下シリンダ。
【請求項６】
シリンダ底部（ＺＢ）の継続部に、ピストンロッド（ＳＴ２）を保護する又は付加的なオイルルーム（ＯＬ３）として使用可能であるカプセル（ＫＡ）が存在することを特徴とする請求項１〜５のいずれか１つに記載の圧下シリンダ。
【請求項７】
カプセル（ＫＡ）の延長部に、ピストン（ＫＯ）の調整装置を収容する、位置センサ（ＰＧ）として形成されたストローク測定システム等が存在することを特徴とする請求項１〜６のいずれか１つに記載の圧下シリンダ。
【請求項８】
ピストンロッド（ＳＴ１）の延長部に、チョックに作用を与えるための加圧部材（ＤＳ）が配設されていることを特徴とする請求項１〜７のいずれか１つに記載の圧下シリンダ。
【請求項９】
ピストン（ＫＯ）が、捩れ防止装置を備えることを特徴とする請求項１〜８のいずれか１つに記載の圧下シリンダ。
【請求項１０】
加圧部材（ＤＳ）と結合されたピストンロッド（ＳＴ１）が、ベローズによって取り囲まれていることを特徴とする請求項１〜９のいずれか１つに記載の圧下シリンダ。
【請求項１１】
少なくとも２分割のハウジング（Ｇ１，Ｇ２）内で加圧面（Ａ１，Ａ２，Ａ３）の間で荷重を受けて移動可能な、ロールスタンドのチョック（ＥＳ）に３つの作動フェーズで作用する作動ピストン（ＫＯ）を有する圧下シリンダを運転するための方法において、
縮小された荷重で迅速に前進させるためのフェーズ１で、圧力が面Ａ２に加えられ、これに対して面Ａ１及びＡ３は、できるだけ無圧にされること、
大きな荷重でアプセットをするためのフェーズ２で、圧力が面Ａ２及び／又はＡ３に加えられること、
迅速に後退させるためのフェーズ３で、面Ａ２及びＡ３ができるだけ無圧になっている状態で圧力が面Ａ１に加えられること、
を特徴とする方法。
【請求項１２】
少なくとも２分割のハウジング（Ｇ１，Ｇ２）内で加圧面（Ａ１，Ａ２，Ａ３）の間で荷重を受けて移動可能な、ロールスタンドのチョック（ＥＳ）に３つの作動フェーズで作用する作動ピストン（ＫＯ）を有する圧下シリンダを運転するための方法において、
縮小された荷重で迅速に前進させるためのフェーズ１で、圧力が面Ａ３に加えられ、これに対して面Ａ１及びＡ２は、できるだけ無圧にされること、
大きな荷重でアプセットをするためのフェーズ２で、圧力が面Ａ２及び／又はＡ３に加えられること、
迅速に後退させるためのフェーズ３で、面Ａ３及びＡ２ができるだけ無圧になっている状態で圧力が面Ａ１に加えられること、
を特徴とする方法。
【請求項１３】
少なくとも２分割のハウジング（Ｇ１，Ｇ２）内で加圧面（Ａ１，Ａ２，Ａ３）の間で荷重を受けて移動可能な、ロールスタンドのチョック（ＥＳ）に３つの作動フェーズで作用する作動ピストン（ＫＯ）を有する圧下シリンダを運転するための方法において、
縮小された荷重で迅速に前進させるためのフェーズ１で、圧力が面Ａ２もしくはＡ３に加えられ、これに対して面Ａ１及びＡ３もしくはＡ２は、できるだけ無圧にされること、
大きな荷重でアプセットをするためのフェーズ２で、圧力が面Ａ２及び／又はＡ３にも面Ａ１にも加えられること、
迅速に後退させるためのフェーズ３で、面Ａ２もしくはＡ３及びＡ３もしくはＡ２ができるだけ無圧になっている状態で圧力が面Ａ１に加えられること、
を特徴とする方法。
【請求項１４】
請求項１１〜１３のいずれか１つに記載の、少なくとも２分割のハウジング（Ｇ１，Ｇ２）内で加圧面（Ａ１，Ａ２，Ａ３）の間で荷重を受けて移動可能な、ロールスタンドのチョック（ＥＳ）に３つの作動フェーズで作用する作動ピストン（ＫＯ）を有する圧下シリンダを運転するための方法において、
迅速に後退させるためのフェーズ３で、面Ａ２及びＡ３ができるだけ無圧になっている状態で、独立した戻しシリンダが使用され、この場合、面Ａ１の大きさがゼロであってもよいことを特徴とする方法。
【発明の詳細な説明】
【技術分野】
【０００１】
本発明は、少なくとも１つのワークロール又は間に挿入されるロールのチョックを介して圧下をするために両側からワークロールに作用する少なくともそれぞれ１つのピストンを有する、ロールスタンドにおいて、特に垂直アプセットスタンドにおいて迅速に長いストローク運動を行なうための圧下シリンダに関する。
【背景技術】
【０００２】
垂直アプセットスタンドにおける圧下装置は、水平スタンドにおける圧下装置と同様に、必要なロール間隙を調整し、保持し、必要な場合にコントロールするという課題を有する。
【０００３】
垂直アプセットスタンドでは、圧下装置は、純機械式の圧下装置として、純油圧式の圧下装置として、もしくは機械と油圧を組み合せた圧下装置として公知である。各側面に１つ又は２つの圧下装置を配設することは、技術的に可能であり、有効である。
【０００４】
例えば、熱間ストリップラインの粗圧延スタンドのアプセッタでは、垂直アプセットスタンドにおける純油圧式の圧下装置が公知である。この圧下装置は、ピストン、シリンダカバー及びシリンダ底部から成る古典的な差動シリンダとして形成されている。
【０００５】
しかしながら、この構成では、ピストンロッドが完全に出た状態では、必要なオイル要量及びこれによる移動速度においても、横力感度においても限界がある。
【０００６】
知られている問題点は、粗板材設備用の垂直アプセットスタンドにおける純油圧式の圧下装置の支配がこれまでは困難であると考えられていたことにある。何故なら、板材を回転させた後で短時間の内に最小のロール間隙から最大のロール間隙に移動させなければならないので、非常に高い速度で非常に長いストロークを移動することが重要であるからである。
【０００７】
特許文献１には、圧延負荷に抗して変位させるためのサーボ弁でコントロールされる油圧式のシリンダ変位装置と組み合わされた、電気式のスクリュスピンドル変位装置によって圧延材料の幅をコントロールするための垂直アプセットスタンド用の位置制御装置が記載されている。シリンダは、垂直スタンドのハウジングクロスヘッドの横に配設され、連結プレートによってスクリュスピンドル変位装置のスライドナットと結合されている。
【０００８】
特許文献２には、その変位ピストンをシリンダボア内で圧力変化の作用下で圧力媒体内を移動させることができる変位シリンダと、圧力媒体内に浸漬させ、油圧式のストローク装置によって制御されるその運動により変位ピストンの移動を生じさせ、この油圧式のストローク装置を制御弁によって制御する浸漬ピストンと、圧力測定によって圧延荷重を検出するための走査装置と、浸漬ピストンの実位置を確定するための測定装置と、変化信号を得るために浸漬ピストンの基準位置−実位置を処理するコンパレータとから成る、特に垂直スタンドのロールのための電気油圧式のロール間隙コントロール及び圧下装置が記載されている。圧下スピンドルは、異なった直径部分の軸方向の貫通孔を有する中空体として形成され、圧下スピンドルの貫通孔は、幅及び／又は厚さをコントロールするための油圧式のピストン−シリンダユニットを収容する。
【０００９】
特許文献３には、対抗するように配置された一対の垂直ロールを有するエッジ圧延機が記載されている。各ロールは、一般的に平行に整向された２つの駆動セクションを有する１つの駆動機構を備えている。第１の駆動セクションは、スタンドが負荷を受けていない場合に、特にロール間隙を比較的大きく調整するために、セレーションの形成部によって駆動ホイールと連結されている。第２の駆動セクションは、第１の駆動セクションと結合され、しかも、同様に、ロールスタンドが負荷を受けて作動する場合にロール間隙を小さく調整することを可能にするセレーションの結合部によって結合されている。
【００１０】
特許文献４には、垂直に配設された可動のハウジング対と、各可動のハウジングを水平に他方のハウジングに向かって、そしてこの他方のハウジングから更に先へと移動させる手段と、その長手方向軸が垂直方向に配設されている１つのロール対とを有するエッジ圧延機が記載されている。ロールは、相応のカセット内に回転可能に保持されている。カセットは、これらのカセットがハウジングと共に移動され、ハウジングの内部に存在するように、相応に移動可能なこのハウジングによって保持される。更に、各カセットをこのカセットに付設された可動のハウジングに対して垂直方向に移動させる手段が設けられている。
【００１１】
特許文献５には、垂直に移動可能な２つのハウジングを有し、その長手方向軸が垂直に配設され、付属するカセット内に回転可能に固定された２つのロールを有し、カセットが移動可能なハウジングによって保護され、ハウジング内に配設されている垂直圧延ラインが記載されている。それぞれの移動可能なハウジングとこのハウジングに付設されたカセットとを水平方向に他方のハウジングに向かって、又はこれとは逆に移動させるための装置と、それぞれのカセットをそのハウジングに対して水平方向に他方のカセットに向かって、及びこれとは逆に移動させるための装置とが設けられている。それぞれのハウジングは、その出力側が、付属するカセット内のロールの下端部と作動関係にあり、その入力側が、水平な作動軸と作動関係にある１つの作動機構を備えている。それぞれの作動機構は、１つのユニバーサルジョイントを備え、このユニバーサルジョイントは、カセットが一定の大きさでそのハウジングに対して水平に移動される場合でさえ、軸からロールに伝達する駆動を可能にする。
【００１２】
特許文献６には、圧延中にロール間隙を制御する垂直スタンド内のロールのための方法が開示されている。フラットエッジプロフィルは、先ず、そのサイドエッジを垂直スタンドで圧延され、次いで水平スタンドで幅を圧延される。垂直スタンドのロール間隙は、フラットエッジ形鋼のエンドピースを圧延する場合、その寸法が引き続く平坦圧延で本質的に残りのフラットエッジプロフィルの寸法から外れないように、自動的に変更される。
【００１３】
特許文献７には、連続鋳造設備の後で仕上げラインの前に接続されたアプセットスタンドが開示されている。このアプセットスタンドは、粗ストリップが確実に仕上げラインの最初のスタンドに入ることができ、ストリップエッジ領域内の亀裂を回避するためにストリップエッジ領域内の組織の変化を保証するように制御すべきである。このため、アプセットスタンド用の位置コントロール回路に、アプセット度の監視並びに過負荷の制限及び負荷の差の監視をするための圧力コントロール回路を重ねることが提案されている。
【００１４】
特許文献８には、チョック及び場合によっては間に挿入されるバックアップロールを介して両側からそれぞれ圧下すべきワークロールに作用する少なくとも２つの油圧式の圧下シリンダを有するロールスタンド、特に熱間又は冷間圧延用のストリップロールスタンドにおけるロール間隔を調整するための圧下装置が開示されている。圧下シリンダは、シリンダハウジング内でシリンダピン上及びシリンダネック内に案内されたそれぞれ１つのキャップピストンを備え、このキャップピストンの内側のキャップ底によって形成される中央ピストン面とキャップ縁によって形成される環状ピストン面とは、互いに依存せずもしくは個々に又は圧力媒体と共に作用を受けている。
【特許文献１】米国特許第３６，２４，９５８号明細書
【特許文献２】独国特許出願公開第３２  １２  ５２５号明細書
【特許文献３】米国特許第４，６５８，６２２号明細書
【特許文献４】欧州特許第０  ４９３  ４３０号明細書
【特許文献５】欧州特許第０  ４９１  ７８５号明細書
【特許文献６】独国特許出願公開第２  ０４７  ２４０号明細書
【特許文献７】欧州特許出願公開第０  ８６８  ９４６号明細書
【特許文献８】欧州特許第０  ４５０  ２９４号明細書
【発明の開示】
【発明が解決しようとする課題】
【００１５】
前記従来技術から出発して、本発明の課題は、圧下シリンダの数を固定せず、これにより、側面毎のただ１つのシリンダの配設を技術的に可能に維持するように、公知の純油圧式圧下装置の改善を可能にすることにある。
【課題を解決するための手段】
【００１６】
提起した課題の解決は、各圧下シリンダが、反対方向に指向するように２つのピストンロッドを備えている１つのピストンを備え、このピストンが、シリンダ底部もしくはシリンダカバーのそれぞれ１つの空所内に挿入されており、これら空所が、ピストンロッドを案内するために同軸に配設された孔を備えているというように、圧下シリンダが第２のピストンロッドを備えられることによる、請求項１の上位概念で述べた構造様式の圧下シリンダにおける発明によって得られる。
【００１７】
圧下シリンダの本発明による構成は、シリンダストローク全体にわたり同じ支持長さに適合され、第２のピストンロッドの横断面が、必要なオイル要量を著しく縮小し、これにより、ポンプ出力が同じ場合、高い移動速度が実現される。これにより、本発明の適用は、粗板設備内の垂直アプセットスタンドに限定されもせず、他の設備の他のスタンドに使用することができるので有利である。本発明の十分な利点は、オイル要量と移動速度の最適化を可能にする。
【００１８】
本発明は、下位の請求項で更なる形成を受ける。
【００１９】
第２のピストンロッドの提案したカプセル部は、付加的なシリンダ空間として形成される。相応の制御を介して、被圧延物の方向に圧延荷重のない移動運動をしている間、シリンダの空になったオイルルームと満ちたオイルルーム間の短絡を生じさせることができる。これにより、ポンプの過剰出力が縮小される。圧延中、両オイルルーム間の短絡は、付加的なロッド側で生じさせることができる。これにより、完全なピストン面によって必要な圧延荷重を調達することが可能である。
【発明を実施するための最良の形態】
【００２０】
部分的に概略化した図を基にして本発明を説明する。
【００２１】
図１によれば、圧下シリンダは、ピストンロッド（ＳＴ１）とピストンロッド（ＳＴ２）とを有するピストン（ＫＯ）から成る。ピストンは、シリンダカバー（ＺＤ）及びシリンダ底部（ＺＢ）内に入っており、両者は、ピストンロッドを案内するために同軸に配設された２つの孔を備えている。後に挙げた両方の孔内に、ピストン案内要素用の収容部が存在し、これらピストン案内要素は、ここではメタルブッシュ（ＢＵ１），（ＢＵ２）として形成されている。両メタルブッシュ（ＢＵ１），（ＢＵ２）は、相応のカバー（ＤＥ１），（ＤＥ２）によって保持される。シリンダに付属するシール（Ｄｌ１〜Ｄｌ３）は、カバー（ＤＥ１）、ピストン（ＫＯ）及びシリンダ底部（ＺＢ）内に存在する。シリンダ底部（ＺＢ）とシリンダカバー（ＺＤ）は、ボルト（ＳＲ２）によってネジ止めされている。圧下シリンダ一式は、ボルト（ＳＲ１）によってロールスタンドのハウジングにネジ止めされている。ピストンロッド（ＳＴ１）の延長部に加圧部材（ＤＳ）が存在する。ピストンロッド（ＳＴ１）は、ベローズ（ＦＢ）によって保護されている。ベローズ（ＦＢ）は、スライドディスクを介してピストンロッド（ＳＴ１）上に支持されるか、ストラップによって、ここでは示されてない案内棒に保持されるかのいずれかである。
【００２２】
シリンダピストンは捩れ防止装置を有し、この捩れ防止装置は、ここでは図示されてない、上下に配設される２つの圧下シリンダの加圧部材（ＤＳ）間のフレーム結合部として形成されているか、既に述べた案内棒内に案内されている加圧部材（ＤＳ）の突起から成るかのいずれかである。シリンダ底部（ＺＢ）の継続部には、一方でピストンロッド（ＳＴ２）を保護し、他方で付加的なオイルルーム（ＯＬ３）として使用されるオプションを備えているカプセル（ＫＡ）が存在する。カプセル（ＫＡ）の延長部に、ここでは位置センサ（ＰＧ）として形成されたストローク測定システムが存在し、このストローク測定システムは、シリンダピストンの位置を受け取る。
【００２３】
図４及び図５における圧下シリンダの構成は合理的である。プランジャシリンダとしての構成、即ち図６及び７では、シリンダカバーとシリンダ底部とが、部分（ＰＢ）とピストン（ＫＯ）とであり、ただ圧下シリンダロッド（ＳＴ３，ＳＴ４）から成る。
【００２４】
図５に示したオイルルーム（ＯＬ１，ＯＬ２，ＯＬ３）は、構成に応じて力に関係する環状面Ａ１及びＡ２もしくは円形面Ａ３を構成する。
【００２５】
図２には、概略的に僅かな容積流で圧下シリンダを迅速に前進及び後退させるため又は大きな力で被圧延物をアプセットするための制御が説明されている。個々の作動フェーズ１〜３、即ち迅速な前進、大きな荷重でのアプセット、及び迅速な後退は、図２によりよく分かる。
フェーズ１：縮小された荷重での迅速な前進
面Ａ２に対しては加圧をし、面Ａ１及びＡ３に対してはできるだけ無圧に
する。（ｐ２≫０；ｐ１≒０）
最適条件は、Ａ１≒Ａ３であり、ライン１と３は接続することができ、そ
の際、オイルは、ライン１からライン３に流れるか、面Ａ２とＡ３の合理
的な交換が行なわれる。
フェーズ２：大きな荷重でのアプセット
面Ａ２及びＡ３に対しては加圧をし、面Ａ１＜面Ａ２＋Ａ３である。
フェーズ３：迅速な後退
Ａ１に対しては加圧をし、面Ａ２及びＡ３は無圧であるか、僅かにしか圧
力が作用しない。
【００２６】
図３には、１つのアプセットスタンドに異なった４つの構造形式の圧下シリンダを組み込んだ状態が示されている。全ての構造形式は、２つのピストンロッドを有する構成であることが共通する。１つのアプセットスタンドに１つの圧下シリンダを使用する場合は、圧下シリンダは、図３に応じて４倍のものが使用され、各側に２つの圧下シリンダが使用され、これら圧下シリンダは、ハウジング中心面（９）の上下に配設されている。しかしながらまた、各側にただ１つの圧下シリンダを配設することも技術的に可能である。シリンダは、アプセットハウジング（８）の相応の孔に取り付けられ、アプセットロール（７）に作用する。バランストラバース（６）と関連して、バランスシリンダ（５）によって、遊びが全システムから押し出される。バランスシリンダ（５）は、戻しシリンダの機能も担うことができる。
【００２７】
図４〜７には、以下のシリンダの実施形が示されている。
図４は、２つの圧力室と作用面Ａ１及びＡ２を有する圧下シリンダを示し、
図５は、３つの圧力室と作用面Ａ１，Ａ２及びＡ３を有する圧下シリンダを示し、
図６は、１つの圧力室と作用面Ａ２を有するプランジャシリンダを示し、
図７は、２つの圧力室と作用面Ａ２及びＡ３を有するプランジャシリンダを示す。
【００２８】
個々の構造の移動方式は、必要な予設定に応じて、例えば以下に従って、選択することができる。
図４：迅速に前進させるため及び圧延荷重を調達するために環状面Ａ２に対して圧力作用を行なう２重作用のシリンダにおいて、環状面Ａ１がシリンダを後退させるために圧力作用を受ける。
図５：迅速に前進させるために環状面Ａ２及び／又は環状面Ａ３に対して圧力作用を行ない、圧延荷重を調達するために環状面Ａ２及び／又は環状面Ａ３を使用する２重作用のシリンダにおいて、環状面Ａ１がシリンダを後退させるために圧力作用を受ける。
図６：迅速に前進させるため及び圧延荷重を調達するために環状面Ａ２に対して圧力作用を行なうプランジャシリンダにおいて、バランスシリンダ（５）が後退シリンダとして働く。
図７：迅速に前進させるために環状面Ａ２及び／又は環状面Ａ３に対して圧力作用を行ない、圧延荷重を調達するために環状面Ａ２及び／又はＡ３を使用するプランジャシリンダにおいて、バランスシリンダ（５）が後退シリンダとして働く、又は、
図５：迅速に前進させるために環状面Ａ２及び／又は環状面Ａ３に対して圧力作用を行ない、圧延荷重を調達するために環状面Ａ２及び／又は環状面Ａ３を使用する単一作用のシリンダにおいて、環状面Ａ１が無圧であり、バランスシリンダ（５）が後退シリンダとして働く、又は、
図４：迅速に前進させるため及び圧延荷重を調達するために環状面Ａ２に対して圧力作用を行なう単一作用のシリンダにおいて、環状面Ａ１が無圧であり、バランスシリンダ（５）が後退シリンダとして働く。
【００２９】
例えば必要なオイル量を調達するための圧力室Ａ１及び／又はＡ２及び／又はＡ３のディファレンシャル回路は、同様に考えられる。個々の圧力室に対する圧力作用は、電磁弁、サーボ弁、逆止弁、ポンプ、容器、加圧容器、アキュムレータ等を介して従来技術に応じて行なわれる。
【図面の簡単な説明】
【００３０】
【図１】ピストン、ピストンロッド、シール等を有する概略化された圧下シリンダを示す。
【図２】迅速な前進、アプセット及び迅速な後退のための圧下シリンダの概略化された制御を示す。
【図３】例えばアプセットスタンドに組み込んだ状態の圧下シリンダを示す。
【図４】２つの圧力室を有する圧下シリンダを示す
【図５】３つの圧力室を有する圧下シリンダを示す。
【図６】１つの圧力室を有するプランジャシリンダを示す。
【図７】２つの圧力室を有するプランジャシリンダを示す。
【符号の説明】
【００３１】
ＢＵ１，ＢＵ２    メタルブッシュ
ＤＥ１，ＤＥ２    カバー
Ｄｌ１〜Ｄｌ３    シール
ＤＳ              加圧部材
ＦＢ              ベローズ
ＫＡ              カプセル
ＫＯ              ピストン
ＯＬ１〜ＯＬ３    オイルルーム
ＰＧ              
ＳＲ１，ＳＲ２    ボルト
ＳＴ１，ＳＴ２    ピストンロッド
ＺＢ              シリンダ底部
ＺＤ              シリンダカバー
【図１】
2007533463.tif 000003
【図２】
2007533463.tif 000004
【図３】
2007533463.tif 000005
【図４】
2007533463.tif 000006
【図５】
2007533463.tif 000007
【図６】
2007533463.tif 000008
【図７】
2007533463.tif 000009
【手続補正書】
【提出日】平成17年6月15日(2005.6.15)
【手続補正１】
【補正対象書類名】特許請求の範囲
【補正対象項目名】全文
【補正方法】変更
【補正の内容】
【特許請求の範囲】
【請求項１】
少なくとも１つのワークロール又は間に挿入されるロールのチョックを介して圧下をするために両側からワークロールに作用する少なくともそれぞれ１つのピストンを有する、ロールスタンドにおいて、特に垂直アプセットスタンドにおいて迅速に長いストローク運動を行なうための圧下シリンダであって、各圧下シリンダが、反対方向に指向するように２つのピストンロッド（ＳＴ１，ＳＴ２）を備えている１つのピストン（ＫＯ）を備え、このピストン（ＫＯ）が、シリンダ底部（ＺＢ）もしくはシリンダカバー（ＺＤ）のそれぞれ１つの空所内に挿入されており、これら空所が、ピストンロッド（ＳＴ１，ＳＴ２）を案内するために同軸に配設された孔を備えている、圧下シリンダにおいて、
ピストン（ＫＯ）及びピストンロッド（ＳＴ１）によって構成される面（Ａ１）が、ピストン（ＫＯ）及びピストンロッド（ＳＴ２）によって構成される面（Ａ２）よりも小さく形成されていることを特徴とする圧下シリンダ。
【請求項２】
前記の孔内に、ピストンロッド案内要素用の収容部が設けられており、これらピストンロッド案内要素が、好ましくはメタルブッシュ（ＢＵ１，ＢＵ２）又はガイドベルトとして形成され、好ましくはカバー（ＤＥ１，ＤＥ２）によって保持されていることを特徴とする請求項１に記載の圧下シリンダ。
【請求項３】
シリンダに付属するシール（Ｄｌ１，Ｄｌ２，Ｄｌ３）が、カバー（ＤＥ１）及び（ＤＥ２）並びにピストン（ＫＯ）内に存在する、もしくはシールを有するガイドベルトが、カバー（ＤＥ１）及び（ＤＥ２）内に収容されていることを特徴とする請求項１又は２に記載の圧下シリンダ。
【請求項４】
シリンダ底部（ＺＢ）が、ボルト（ＳＲ２）によってシリンダカバー（ＺＤ）と結合されていることを特徴とする請求項１〜３のいずれか１つに記載の圧下シリンダ。
【請求項５】
圧下シリンダ一式が、ボルト（ＳＲ１）によってスタンドハウジングと結合されていることを特徴とする請求項１〜４のいずれか１つに記載の圧下シリンダ。
【請求項６】
シリンダ底部（ＺＢ）の継続部に、ピストンロッド（ＳＴ２）を保護する又は付加的なオイルルーム（ＯＬ３）として使用可能であるカプセル（ＫＡ）が存在することを特徴とする請求項１〜５のいずれか１つに記載の圧下シリンダ。
【請求項７】
カプセル（ＫＡ）の延長部に、ピストン（ＫＯ）の調整装置を収容する、位置センサ（ＰＧ）として形成されたストローク測定システム等が存在することを特徴とする請求項１〜６のいずれか１つに記載の圧下シリンダ。
【請求項８】
ピストンロッド（ＳＴ１）の延長部に、チョックに作用を与えるための加圧部材（ＤＳ）が配設されていることを特徴とする請求項１〜７のいずれか１つに記載の圧下シリンダ。
【請求項９】
ピストン（ＫＯ）が、捩れ防止装置を備えることを特徴とする請求項１〜８のいずれか１つに記載の圧下シリンダ。
【請求項１０】
加圧部材（ＤＳ）と結合されたピストンロッド（ＳＴ１）が、ベローズによって取り囲まれていることを特徴とする請求項１〜９のいずれか１つに記載の圧下シリンダ。
【請求項１１】
少なくとも２分割のハウジング（Ｇ１，Ｇ２）内で加圧面（Ａ１，Ａ２，Ａ３）の間で荷重を受けて移動可能な、ロールスタンドのチョック（ＥＳ）に作用するピストン（ＫＯ）を有する圧下シリンダを運転するための方法において、
縮小された荷重でピストン（ＫＯ）を迅速に前進させるために、圧力が面Ａ２に加えられ、これに対して面Ａ１及びＡ３は作用を受けないことを特徴とする方法。
【請求項１２】
少なくとも２分割のハウジング（Ｇ１，Ｇ２）内で加圧面（Ａ１，Ａ２，Ａ３）の間で荷重を受けて移動可能な、ロールスタンドのチョック（ＥＳ）に作用するピストン（ＫＯ）を有する圧下シリンダを運転するための方法において、
大きな荷重でアプセットをするために、圧力が面Ａ２及び／又はＡ３に加えられることを特徴とする方法。
【請求項１３】
少なくとも２分割のハウジング（Ｇ１，Ｇ２）内で加圧面（Ａ１，Ａ２，Ａ３）の間で荷重を受けて移動可能な、ロールスタンドのチョック（ＥＳ）に作用するピストン（ＫＯ）を有する圧下シリンダを運転するための方法において、
ピストン（ＫＯ）を迅速に後退させるために、圧力が面Ａ１に加えられ、面Ａ２もしくはＡ３及びＡ３もしくはＡ２は作用を受けないことを特徴とする方法。
【請求項１４】
請求項１３に記載の、少なくとも２分割のハウジング（Ｇ１，Ｇ２）内で加圧面（Ａ１，Ａ２，Ａ３）の間で荷重を受けて移動可能な、ロールスタンドのチョック（ＥＳ）に作用するピストン（ＫＯ）を有する圧下シリンダを運転するための方法において、
迅速に後退させるために、面Ａ２及びＡ３ができるだけ無圧になっている状態で、独立した戻しシリンダが使用され、この場合、面Ａ１の大きさがゼロであってもよいことを特徴とする方法。
【国際調査報告】
2007533463.tif 000010
2007533463.tif 000011
2007533463.tif 000012
2007533463.tif 000013
2007533463.tif 000014
2007533463.tif 000015